(57)【要約】【課題】カバーが邪魔になったり、折損したりすることを好適に抑制することができる。【解決手段】電源コンセント１０は、取付壁２１の開口２２内に設けられて電源プラグ６０の電極６１が差し込まれる差込口３４を有するコンセント本体３０、及び開口２２を開閉するカバー４０を備えている。また、開口２２内において前後方向に向けて延びて同開口２２内の前側位置においてカバー４０を起立状態と倒伏状態との間で回動可能に支持するとともに同前側位置よりも後方において前後方向に同カバー４０をスライド可能に支持するレール溝３８を備えている。そして、カバー４０が倒立状態で開口２２内に向けてスライドされることで同開口２２内に収容されるように構成されている。【選択図】図５
2014137854.tif 000002
【特許請求の範囲】
【請求項１】
電源プラグの電極が差し込み可能な電源コンセントにおいて、
壁部の開口内に設けられて電源プラグの電極が差し込まれる差込口を有するコンセント本体と、
前記開口を開閉するカバーと、
前記開口内において前後方向に向けて延びて同開口内の前側位置において前記カバーを起立状態と倒伏状態との間で回動可能に支持するとともに同前側位置よりも後方において前後方向に同カバーをスライド可能に支持する支持部と、を備え、
前記カバーが倒伏状態で前記開口内に向けてスライドされることで同開口内に収容されるようにした、
ことを特徴とする電源コンセント。
【請求項２】
請求項１に記載の電源コンセントにおいて、
前記カバーがスライドする際に同カバーに対向する前記コンセント本体の壁部には前後方向に沿って延びるスライド孔が形成され、
前記カバーには前記コンセント本体の前記スライド孔に挿通可能な爪部が形成され、
電源プラグの電極が前記差込口に差し込まれている状態において同電極の先端に前記爪部が当接するように同爪部の形状が設定されている、
ことを特徴とする電源コンセント。
【請求項３】
請求項２に記載の電源コンセントにおいて、
前記カバーを前記開口に向けて付勢する付勢部材を備える、
ことを特徴とする電源コンセント。
【請求項４】
前記付勢部材は前記爪部を直接的に付勢するものである、
請求項３に記載の電源コンセント。
【請求項５】
前記付勢部材は、前記コンセント本体の内部に設けられて電源プラグの電極に電気的に接続される接続端子と一体形成されている、
請求項４に記載の電源コンセント。
【請求項６】
請求項１〜請求項５のいずれか一項に記載の電源コンセントにおいて、
前記カバーの前面には指先を掛けるための凹部が形成されている、
ことを特徴とする電源コンセント。
【発明の詳細な説明】
【技術分野】
【０００１】
本発明は、電気器具等の電源プラグの電極が差し込み可能な電源コンセントに関する。
【背景技術】
【０００２】
従来、この種の電源コンセントとしては、例えば特許文献１に記載された構成がある。特許文献１に記載の電源コンセントでは、コンセント本体の前面に電源プラグの電極を差し込み可能な差込口が形成されている。また、コンセント本体の前側には上記差込口を開閉するカバーが設けられている。こうしたカバーとしては、コンセント本体の幅方向に沿って延びる軸を中心に回動可能に設けられているものや、コンセント本体の前面に沿ってスライド可能に設けられているものが開示されている。
【０００３】
そして、電源コンセントを使用する際には、使用者が指によってカバーを直接的に回動させたり、スライドさせたりすることにより上記差込口を開放して、コンセント本体の差込口に電源プラグの電極が差し込まれる。また、カバーにより上記差込口が閉鎖された状態においては、同差込口内に異物が入らないようになっている。
【先行技術文献】
【特許文献】
【０００４】
【特許文献１】特開２０００―３０１９９１号公報
【発明の概要】
【発明が解決しようとする課題】
【０００５】
ところで、こうした電源コンセントでは、軸を中心にカバーが回動可能に設けられている構成の場合、カバーが手前側に突出した状態で電源コンセントが使用されることとなる。また、コンセント本体の前面に沿ってカバーがスライド可能に設けられている構成の場合、カバーがコンセント本体よりも上方に突出した状態で電源コンセントが使用されることとなる。そのため、カバーが邪魔になったり、折損したりするおそれがある。
【０００６】
本発明の目的は、カバーが邪魔になったり、折損したりすることを好適に抑制することができる電源コンセントを提供することにある。
【課題を解決するための手段】
【０００７】
上記目的を達成するための電源コンセントは、電源プラグの電極が差し込み可能な電源コンセントにおいて、壁部の開口内に設けられて電源プラグの電極が差し込まれる差込口を有するコンセント本体と、前記開口を開閉するカバーと、前記開口内において前後方向に向けて延びて同開口内の前側位置において前記カバーを起立状態と倒伏状態との間で回動可能に支持するとともに同前側位置よりも後方において前後方向に同カバーをスライド可能に支持する支持部と、を備え、前記カバーが倒伏状態で前記開口内に向けてスライドされることで同開口内に収容されるようにした。
【０００８】
同構成によれば、電源コンセントの差込口を開放する際には、起立状態のカバーが支持部を介して手前側に回動されて倒伏状態とされる。そして、倒伏状態のカバーが後方に向けてスライドされて同開口内に同カバーが収容される。このように、差込口に電源プラグが差し込まれているときにはカバーが壁部よりも手前側に突出しない。従って、カバーが邪魔になったり、折損したりすることを好適に抑制することができる。
【図面の簡単な説明】
【０００９】
【図１】一実施形態に係る電源コンセントの斜視図。
【図２】図１の２−２線に沿った断面図。
【図３】同実施形態の電源コンセントの分解斜視図。
【図４】図１の４−４線に沿った断面図。
【図５】電源コンセントを中心とした断面図であって、（ａ）はカバーにより差込口が閉鎖されている状態を示す断面図、（ｂ）はカバーが回動された状態を示す断面図、（ｃ）は差込口に電源プラグが差し込まれている状態を示す断面図。
【図６】同実施形態のカバーの凹部に指がかけられている状態を示す斜視図。
【発明を実施するための形態】
【００１０】
以下、図１〜図６を参照して、電源コンセントを車載用電源コンセントとして具体化した一実施形態について説明する。
図１に示すように、車室内のセンターコンソールの外壁を構成する平板状の取付壁２１には横長矩形状の開口２２が形成されており、同開口２２内に電源コンセント１０が設けられている。
【００１１】
図２に示すように、取付壁２１の裏側における上記開口２２の上側縁部には上側壁部２３が後方に向けて延びている。また、取付壁２１の裏側における上記開口２２の下側縁部には下側壁部２４が後方に向けて延びている。
【００１２】
図２〜図４に示すように、下側壁部２４上にはコンセント本体３０が固設されている。コンセント本体３０は箱状をなすケース部３１を有しており、同ケース部３１の内部には金属製の板ばねからなる一対の接続端子３６が収容されている。ケース部３１の前側壁部３２には電源プラグ６０の電極６１が差し込まれる一対の差込口３４が形成されている。ケース部３１の上側壁部３３には、前後方向に沿って延びる一対のスライド孔３５が形成されている。
【００１３】
ケース部３１の上側壁部３３の幅方向両端には前後方向に長いレール突部３７が立設されており、同レール突部３７にはレール溝３８が幅方向に貫通している。このレール突部３７と上側壁部２３との間には間隙が形成されている。
【００１４】
図２及び図３に示すように、開口２２内には差込口３４を開閉する平板状のカバー４０が設けられている。カバー４０の前面である意匠面と、取付壁２１の前面である意匠面とは同一平面上に位置している。カバー４０の裏面にはコンセント本体３０のスライド孔３５に挿通可能な爪部４１が突設されている。カバー４０の裏面上端の幅方向両端には一対の延設部４３が設けられており、これら延設部４３には同カバー４０の幅方向中央に向けて延びるピン４４が設けられている。これら一対のピン４４はケース部３１のレール溝３８に幅方向外側から嵌合されている。従って、カバー４０は、レール溝３８により差込口３４の前方においてピン４４を中心に回動可能に支持されるとともに前後方向に沿ってスライド可能に支持される。そして、カバー４０がレール溝３８に沿って後方にスライドされる際、同カバー４０がコンセント本体３０のレール突部３７と上側壁部２３との間の間隙である収容空間２５内に収容されるようになっている。
【００１５】
また、カバー４０の前面には指先を掛けて同カバー４０を操作するための凹部４２が形成されている。
図４に示すように、接続端子３６は、電源プラグ６０の一対の電極６１を幅方向内側に向けて付勢する第１付勢部３６ａと、爪部４１を開口２２に向けて付勢する第２付勢部３６ｂとを備えている。
【００１６】
次に、本実施形態の作用について説明する。
電源コンセント１０の差込口３４を開放する際には、図５（ａ）に示されるカバー４０の起立状態において、図６に示すようにカバー４０の凹部４２に指先を掛けて押し上げることにより、図５（ｂ）に示される倒伏状態までカバー４０が手前側に回動される。この状態においては、カバー４０の爪部４１がコンセント本体３０の差込口３４よりも前側に位置しているため、同差込口３４へ電源プラグ６０の電極６１を差し込むと、同電極６１の先端によりカバー４０の爪部４１が後方に押される。このことで、図５（ｃ）に示される状態までカバー４０が後方へスライドされて収容空間２５内に収容される。このとき、接続端子３６の第１付勢部３６ａによって電源プラグの電極６１が幅方向内側に向けて付勢され、電源プラグ６０が差し込まれた状態、すなわち電源プラグ６０の電極６１と接続端子３６とが電気的に接続された状態に維持される。従って、カバー４０は図５（ｃ）に示される状態に維持される。
【００１７】
一方、操作者によってコンセント本体３０の差込口３４から電源プラグ６０が引き抜かれると、第１付勢部３６ａによる付勢力が低下して第２付勢部３６ｂの付勢力を下回ると、第２付勢部３６ｂの付勢力によってカバー４０が開口２２に向けて押される。その結果、カバー４０が開口２２に向けてスライドされて、図５（ｂ）に示される状態に復帰する。そして、カバー４０は自重によってピン４４を中心に回動して、図５（ａ）に示される状態に復帰する。
【００１８】
以上説明した本実施形態に係る電源コンセントによれば、以下に示す効果が得られるようになる。
（１）電源コンセント１０は、取付壁２１の開口２２内に設けられて電源プラグ６０の電極６１が差し込まれる差込口３４を有するコンセント本体３０、及び開口２２を開閉するカバー４０を備えている。また、開口２２内において前後方向に向けて延びて同開口２２内の前側位置においてカバー４０を起立状態と倒伏状態との間で回動可能に支持するとともに同前側位置よりも後方において前後方向に同カバー４０をスライド可能に支持するレール溝３８を備えている。そして、カバー４０が倒立状態で開口２２内に向けてスライドされることで同開口２２内に収容されるように構成されている。こうした構成によれば、差込口３４に電源プラグ６０が差し込まれているときにカバー４０が取付壁２１よりも手前側に突出しないため、カバー４０が邪魔になったり、折損したりすることを好適に抑制することができる。
【００１９】
（２）カバー４０がスライドする際に同カバー４０に対向するコンセント本体３０の上側壁部３３には前後方向に沿って延びるスライド孔３５が形成されている。カバー４０にはコンセント本体３０のスライド孔３５に挿通可能な爪部４１が形成されている。また、電源プラグ６０の電極６１が差込口３４に差し込まれている状態において同電極６１の先端に爪部４１が当接するように同爪部４１の形状が設定されている。こうした構成によれば、電源コンセント１０へ電源プラグ６０を差し込むと、その電極６１の先端により爪部４１が押されることで開口２２内へカバー４０がスライドすることとなる。従って、開口２２内にカバー４０を容易に収容することができる。
【００２０】
（３）カバー４０を開口２２に向けて付勢する第２付勢部３６ｂが設けられており、同第２付勢部３６ｂが接続端子３６と一体形成され、爪部４１を直接的に付勢するものとされている。こうした構成によれば、電源プラグ６０が電源コンセント１０から引き抜かれると、第２付勢部３６ｂの付勢力によって爪部４１が押されることでカバー４０が開口２２に向けてスライドすることとなる。このため、開口２２内からカバー４０を容易に取り出すことができる。また、第２付勢部３６ｂが接続端子３６と一体形成されているため、電源コンセント１０の部品点数を少なくすることができ、その構成を簡単なものとすることができる。
【００２１】
（４）カバー４０の前面には指先を掛けるための凹部４２が形成されている。こうした構成によれば、カバー４０の前面の凹部４２に指先を掛けて押し上げることにより、カバー４０を容易に回動させることができる。
【００２２】
尚、本発明に係る電源コンセントは、上記実施形態にて例示した構成に限定されるものではなく、これを適宜変更した例えば次のような形態として実施することもできる。
・電源コンセントはセンターコンソールに設けられるものに限られるものではなく、インストルメントパネル等の車室内の他の部位に設けるようにしてもよい。また、本発明は車載用の電源コンセントに限られるものではなく、住宅用の電源コンセントに対しても本発明を適用することができる。
【００２３】
・電源コンセントを３枚の電極を有する３相の電源プラグに対応した形状とすることもできる。この場合、電極の数に応じて差込口の数及び端子の数を変更すればよい。また、電源コンセントを棒状のピンを有する同軸電源プラグに対応した形状とすることもできる。
【００２４】
・カバー４０の下端部と取付壁２１との間に隙間を形成することもできる。この場合、カバー４０の下端部を指先で引っかけやすくなる。またこの場合には、カバー４０の前面に形成された凹部４２を省略することもできる。
【００２５】
・接続端子３６を第１付勢部３６ａのみによって構成し、第２付勢部（付勢部材）を例えばコイルばね等の接続端子とは別部材によって構成してもよい。
・爪部を直接的に付勢する付勢部材に代えて、カバーの本体やピンを開口に向けて直接的に付勢する付勢部材を採用することもできる。
【００２６】
・取付壁２１の開口２２内からカバー４０を引っ張り出すための構成を追加するのであれば、第２付勢部を省略することもできる。
・爪部４１を省略することもできる。この場合、電源プラグ６０を差込口３４内に差し込む前にカバー４０を指によって収容空間２５内に押し込むようにすればよい。
【００２７】
・上記実施形態では、レール溝３８に対して幅方向外側からカバー４０のピン４４が嵌合されるようにしたが、レール溝に対して幅方向内側からカバーのピンが嵌合されるようにしてもよい。また、レール溝３８を有する一対のレール突部３７によってカバー４０を回動可能且つスライド可能に支持する支持部が構成されているが、こうしたレール突部をコンセント本体の幅方向中央に１つだけ設けるようにしてもよい。
【符号の説明】
【００２８】
１０…電源コンセント、２１…取付壁（壁部）、２１ａ…意匠面、２２…開口、２３…上側壁部、２４…下側壁部、２５…収容空間、３０…コンセント本体、３１…ケース部、３２…前側壁部、３３…上側壁部、３４…差込口、３５…スライド孔、３６…接続端子、３６ａ…第１付勢部、３６ｂ…第２付勢部（付勢部材）、３７…レール突部、３８…レール溝、４０…カバー、４１…爪部、４２…凹部、４３…延設部、４４…ピン、６０…電源プラグ、６１…電極。
【図１】
2014137854.tif 000003
【図２】
2014137854.tif 000004
【図３】
2014137854.tif 000005
【図４】
2014137854.tif 000006
【図５】
2014137854.tif 000007
【図６】
2014137854.tif 000008